(57)【要約】      （修正有）【課題】同一キーで多くの装置、ドアなどの同一キーシリンダーが存在する場合に、そのキーを変換し、他の同一キー所有者が装置、ドア等を解錠及び操作することができないようにした施錠装置の提供。【解決手段】回胴式遊技機本体１１２のキーシリンダ１１１部分に、キーシリンダー１０１が取り付けられたケース１０２を取り付け固定する。キーシリンダー１０１に、本来装着されている解錠及び操作を行うキー１１３を掴む構造物１０５をキー１１３と勘合するように取り付け、キー１０４でキーシリンダー１０１を回してキー１１３を回すようにすることで、キーパターンを変換し、装置固有のキーシステムは変更無しに新しいキー１０４にすることで、装置固有のキー１１３を使用できないようにする。【選択図】図２
2007218057.tif 000002
【特許請求の範囲】
【請求項１】
変換したい装置に付いているキーを他のキーとキーシリンダーからなる装置で回転させキーを変換する施錠装置。
【請求項２】
変換したいキーを電気的な回転体のモーター、ソレノイド等を使いキーを回し、電気的な信号は変換するキーから情報を得ることを特徴とする請求項１記載の施錠装置。
【請求項３】
変換したいキーの搭載装置を加工、改造等変更することなく、鍵の種類を変更することができることを特徴とする請求項１記載の施錠装置。
【請求項４】
変換したいキーの搭載装置を加工、改造等変更することなく、鍵の種類を変更することができることを特徴とする請求項２記載の施錠装置。
【請求項５】
変換したいキーの搭載している装置に一時的に本装置を取り付け、キーを変換した後基の状態に即座に戻せることを特長とする、請求項３、請求項４記載の施錠装置。
【発明の詳細な説明】
【技術分野】
【０００１】  本発明は、施錠装置と別搭載の鍵の接続構造に関する。
【背景技術】
【０００２】回胴式遊技機には収益をコントロールするための出玉率を変更する機能が搭載されているが、これはキーを回し特定の操作を行うことで設定変更及び設定変更及び設定確認を行うが、鍵の種類は同じ型式であれば同じをキーを使用している。また、同一メーカであれば別型式回胴式遊技機においても同一キーを使用している可能性が高い。よって個人でも回胴式遊技機を購入する等の手段でそのキーを入手するのは比較的簡単である事から誰でも設定変更及び設定確認ができてしまう。したがって筐体を解錠することができる店員は設定変更及び設定確認を簡単に行うことが出来、設定情報を客側にすることで高設定台を客が確保することが可能になり不正を行うことが可能になってしまう。【０００３】  設定キーを変更すればこの問題は解決するが、基本的に回胴式遊技機には認定後改造することは取り決めで許されてない。したがって不正防止や管理簡素化の目的のために設定キーを変えることができない。【０００４】  たとえば、特許文献１には従来のピッキング用具では解錠不可能である、防犯性の高い鍵とシリンダー錠とロックシステムを提供する構造の鍵について記載されているが、このような鍵に変更するにはキーシリンダーそのものを取り替えなくてはならない。
【特許文献１】特許第３５７３３４５号
【０００５】  特許文献２にはホール管理者以外に遊技機の扉が開錠されないような安価で組立容易なる１体型でコンパクトな不正開錠防止機構で不正解除を確実に防止するパチンコ遊技機（パチスロも含む）用施錠機構について記載されている。
【特許文献２】特開２００５−１４４０７１号
【発明の開示】
【発明が解決しようとする課題】
【０００６】  回胴式遊技機の構造上キーシリンダーは本体装置に取り付けられているためキーシリンダーを交換することができない。【０００７】  さらに、ネジ止め等の装置付加も改造等に見なされるため別の装置を取り付けることができなかった。
【課題を解決するための手段】
【０００８】  本発明は上記目的を達成するため次の構成を備える。
装置固有の設定キーを回す為の切り込みの付いたキーを掴む構造物が新たなキーを回すことにより、本来の設定キーシリンダーを変更することなくキーを変更できる。装置固有の設定キーを回すための装置は、新たなキーシリンダーで直接回転させても良いし、モーター、ソレノイド等の電気的な回転体で制御しても良い。制御信号は新たなキーを回すことによって得る。取り付けは、両面テープ等を使い取り付け、ネジ止め等は行わないため強固な設置はされていないが、本来付いている設定キーを回すためには本装置を外す必要がある。したがって本装置を外したか判るための識別シールなどを用いてその判別を行うため、強固に固着する必要はない。
【発明の効果】
【０００９】  本発明に係る構造によれば以下のような優れた効果を発揮することができる。回胴式遊技機の設定キーは本装置を取り付けることにより回胴式遊技機は同一でも他店と異なる設定キーになり、一般流通している回胴式遊技機の設定キーを使って設定変更及び設定確認することが不可能になる。また機種毎にキーを変えずに同一キーにすることで、設定キーは一種類にすることもできる。この場合どの機種でも同じ設定キーを用いて設定ができるため鍵を交換する手間が省け管理が簡単になる。またキーの管理をしておくことで従業員が設定変更及び設定情報の漏洩などの不正行為をすることが容易では無くなる。なお、本発明は上記実施例に限定されず、どのような施錠装置の場合でもドアや装置に組み込まれている施錠装置を変更することなく別の鍵に変更するために使用することができる。この場合、本装置は強固なネジ止め、接着、カシメなどを行うことでセキュリティを高める用途にも使用できる等、本発明を逸脱しない範囲において改変も可能である。
【発明を実施するための最良の形態】
【００１０】  以下、本発明の好適な実施の形態を添付図面に基づいて詳細に説明する。
図１の（ａ）、（ｂ）は本発明に係る機構と構造を詳細に記載した図面である。図１（ａ）は取り付ける本体の正面図である。図１（ｂ）は側面断面図である。図２は本発明に係わる機構の取り付け実施形態を構成部品順に記載した側面断面図である。図２（ａ）は取り付ける構成品を詳細に記載した側面断面図である。図２（ｂ）は取り付けが終わった状態の構造を示す側面断面図である。【００１１】  図１（ａ）において、キーシリンダー１０１はケース１０２に取り付けられている。またケース１０２にはケース１０２を回胴式遊技機本体１１２に取り付け固定するためのフランジ１０３が付けられている。フランジ１０３は本図のようなフランジ形状でも良いし、フランジを内側に折り曲げた形状でも良い。つまりどのような形状構造でも回胴式遊技機本体に固定できる構造であればよい。固定方法は回胴式遊技機本体に加工を施さない場合は両面テープや接着などが望ましいが、どのような方法でもかまわない。また本体の加工が許される場合はネジ止め等行える構造でも良い。【００１２】  図２は回胴式遊技機本体１１２に本発明品を取り付ける構造を示す。回胴式遊技機本体１１２には最初から付いているキーシリンダー１１１があり、キー１１３で設定変更及び設定確認を行う。本発明品はキー１１３とキーシリンダー１０１に取り付けられたキー１１３を回すためのキーを掴む構造物１０５が勘合するように取り付けられている。キーシリンダー１０１はケース１０２に取り付けられている。キーシリンダー１０１はキー１０４で回す。【００１３】  図２（ｂ）は取り付けが終わった本発明品の構造断面図を示す。回胴式遊技機本体１１２に取り付けられているキーシリンダー１１１にささっているキー１１３は本発明品のキーシリンダー１０１に取り付けられているキーを掴む構造物１０５で回される構造に勘合されており、キーシリンダー１０１はキー１０４で回す構造となっている。キー１０４でキーシリンダー１０１を回すと、キー１１３が回り、キーシリンダー１１１が回され、設定変更及び設定確認を行うことができる。キー１１３は最初から付いているオリジナルキーを使用しても良いし、新たに製作した予備キーを使っても良い。キー１１３とキーを掴む構造物１０５の勘合部分の構造はどのような構造であってもかまわない。キー１０４及びキーシリンダー１０１の構造はキーを掴む構造物１０５を回転または制御をできるものであれば、シリンダーキーに限定せず機構及び形状はどのようなものでも良い。
【図面の簡単な説明】
【００１４】
【図１】本発明に係る施錠変換装置の機構と構造を詳細に記載した図面である。（ａ）本発明に係る施錠変換装置本体の正面図である。（ｂ）本発明に係る施錠変換装置本体の側面断面図である。
【図２】本発明に係る機構の取り付け実施形態を構成部品順に記載した側面断面図である。（ａ）本発明に係る施錠変換装置を取り付ける構成品を詳細に記載した側面断面図である。（ｂ）本発明に係る施錠変換装置の取り付けが終わった状態の構造を示す側面断面図である。
【符号の説明】
【００１５】１０１  キーシリンダー
１０２  ケース
１０３  フランジ
１０４  キー
１０５  キーを掴む構造物
１１１  回胴式遊技機本体キーシリンダー
１１２  回胴式遊技機本体
１１３  回胴式遊技機本体キー
【図１】
2007218057.tif 000003
【図２】
2007218057.tif 000004